(57)【要約】【課題】バッテリの劣化に伴い減算するバッテリ電圧に基づいて、バッテリアラーム電圧の基準設定値を自動的に可変することができるバッテリ管理サーバにおけるバッテリアラーム電圧設定装置、バッテリアラーム電圧設定方法を提供する。【解決手段】バッテリ管理サーバ１００は、ＰＤＡ１１０側のバッテリ電圧検出手段１７０により検出されたバッテリ電圧に基づいて、予め設定された初期のバッテリアラーム電圧を所定の電圧値に自動的に設定変更するバッテリアラーム電圧制御装置１２０を備え、バッテリの劣化に伴い推移するバッテリ電圧を取得するとともに、放電曲線を予測することにより算出し、算出した放電曲線に基づいてバッテリアラーム電圧の設定値を自動的に変更する。【選択図】      図１
2004213400.tif 000002
【特許請求の範囲】
【請求項１】
バッテリにより稼動する携帯情報端末装置と通信接続され相互にデータ交換をおこなうバッテリ管理サーバにおけるバッテリアラーム電圧設定装置であって、
前記携帯情報端末装置は、前記バッテリによるバッテリ電圧の電圧値を検出するバッテリ電圧検出手段と、
前記バッテリ電圧の電圧降下を警告するバッテリアラーム電圧を検出するバッテリアラーム電圧検出手段と、
前記バッテリ内のバッテリ電圧の電圧降下にともなって、前記携帯情報端末装置が非動作状態となるサスペンド電圧を検出するサスペンド電圧検出手段と、
前記バッテリ電圧検出手段により検出されたバッテリ電圧をバッテリ管理サーバに対して送信する通信手段とを備え、
前記バッテリ管理サーバは、前記バッテリ電圧検出手段により検出されたバッテリ電圧に基づいて、予め設定された初期のバッテリアラーム電圧を所定の電圧値に自動的に設定変更するバッテリアラーム電圧制御装置と、当該バッテリアラーム電圧制御装置により設定されたバッテリアラーム電圧を前記携帯情報端末装置に対して送信する通信手段と
を備えたことを特徴とするバッテリアラーム電圧設定装置。
【請求項２】
前記バッテリアラーム電圧制御装置は、前記バッテリ電圧検出手段により検出されたバッテリ電圧に基づいて、前記バッテリアラーム電圧からサスペンド電圧までに到達するまでの放電推移を時系列的に算出するバッテリ電圧推移算出手段と、当該バッテリ電圧推移算出手段により算出された放電推移に基づいてバッテリアラーム電圧の設定をおこなうバッテリアラーム電圧設定手段とをさらに備えることを特徴とする請求項１に記載のバッテリアラーム電圧設定装置。
【請求項３】
前記バッテリアラーム電圧制御手段により設定されるバッテリアラーム電圧は、前記バッテリアラーム電圧から前記サスペンド電圧に到達するまで前記携帯情報端末装置に対して所定の稼働時間を保持できる電圧として設定されることを特徴とする請求項１または２に記載のバッテリアラーム電圧設定装置。
【請求項４】
前記バッテリアラーム電圧設定手段によるバッテリアラーム電圧の設定は、バッテリ管理サーバによるマニュアル操作による手動設定で任意に設定できることを特徴とする請求項１、２または３に記載のバッテリアラーム電圧設定装置。
【請求項５】
バッテリにより稼動する携帯情報端末装置と通信接続され相互にデータ交換をおこなうバッテリ管理サーバにおけるバッテリアラーム電圧設定方法であって、
前記携帯情報端末装置は、前記バッテリによるバッテリ電圧の電圧値を検出するバッテリ電圧検出工程と、
前記バッテリ電圧の電圧降下を警告するバッテリアラーム電圧を検出するバッテリアラーム電圧検出工程と、
前記バッテリ内のバッテリ電圧の電圧降下にともなって、前記携帯情報端末装置が非動作状態となるサスペンド電圧を検出するサスペンド電圧検出工程と、
前記バッテリ電圧検出手段により検出されたバッテリ電圧をバッテリ管理サーバに対して送信する通信工程とを備え、
前記バッテリ管理サーバは、前記バッテリ電圧検出手段により検出されたバッテリ電圧に基づいて、予め設定された初期のバッテリアラーム電圧を所望の電圧値に自動的に設定変更するバッテリアラーム電圧制御工程と、当該バッテリアラーム電圧制御装置により設定されたバッテリアラーム電圧を前記携帯情報端末装置に対して送信する通信工程と
を備えたことを特徴とするバッテリアラーム電圧設定方法。
【発明の詳細な説明】
【０００１】
【発明の属する技術分野】
本発明は、バッテリにより稼動する携帯情報端末装置に通信接続されたバッテリ管理サーバによって、バッテリアラーム電圧の設定をおこなうバッテリアラーム電圧設定装置、バッテリアラーム電圧設定方法に関し、特に、バッテリ電圧の残量に応じてバッテリアラーム電圧の基準値を自動的に設定し変更することができるバッテリアラーム電圧設定装置、バッテリアラーム電圧設定方法に関する。
【０００２】
【従来の技術】
近年では、携帯に便利なモバイルツールとしてノートパソコン、ＰＤＡ（Ｐｅｒｓｏｎａｌ  Ｄｉｇｉｔａｌ  Ａｓｓｉｓｔａｎｔｓ）、電子手帳、携帯電話などの携帯情報端末装置が急速に普及している。この中でも、ＰＤＡは、インターネット専用端末としての用途もあり、メール、スケジュール管理などをおこなうモバイルツールとして個人ベースで広く使用されている。通常、このＰＤＡの場合も持ち歩くことが多いため、携帯用のノートパソコンと同様にバッテリを供給電源として使用することが多い。
【０００３】
このため、例えば、バッテリ内のバッテリ電圧が少ない状態（充電不足）で装置の使用を継続した場合には、使用中に電源供給がなくなり使用不能となったりデータが消えてしまうことがあるため、バッテリアラーム電圧を設定することにより、バッテリ電圧がバッテリアラーム電圧に到達したときに表示により警告したり、バッテリ残量に応じて警告音を鳴らすなどの対策がおこなわれている。
【０００４】
そして、このようなバッテリ電圧を管理する従来技術としては、常時、蓄電池残量の計測をおこなうことにより、この蓄電池残量を正確に把握する技術（例えば、特許文献１参照）や、電池の保持時間を予測することにより、使用状況に応じた電池残量を検出する技術（例えば、特許文献２参照）などが知られている。
【０００５】
【特許文献１】
特開平５−１８０９１４号公報
【特許文献２】
特許第３３１１４１６号公報
【０００６】
【発明が解決しようとする課題】
しかしながら、上述した従来のバッテリアラーム電圧の管理をおこなうバッテリアラーム電圧設定装置にあっては、以下に示す種々の問題がある。すなわち、従来では、バッテリ内のバッテリ電圧がなくなるまえに、アラームなどによる報知によりユーザに対してバッテリ残量がなくなることを知らせるようにしているが、長期間使用しているバッテリの場合は、内部電池の劣化により稼働可能時間にばらつきが生じてしまうという問題があった。以下、このバッテリの劣化にともなう問題点について図８（ａ）、（ｂ）を参照して説明する。
【０００７】
図８（ａ）、（ｂ）は、バッテリ電圧の消費に伴う時系列的な放電曲線を示している。ここで、縦軸は、バッテリ電圧Ｖの電圧値を、横軸は、バッテリによる装置の稼動時間（ｔ）をそれぞれ示している。ここで、バッテリアラーム電圧ＶＡは、バッテリ内に充電されたバッテリ電圧がサスペンド電圧ＶＳの近くまで到達することを、予めアラームとして警告するために設定された電圧値である。また、サスペンド電圧ＶＳとは、バッテリ内部のバッテリ電圧がほぼ「０Ｖ」の状態となり、装置が非動作状態（メモリー保持状態）となる電圧値のレベルをそれぞれ示している。
【０００８】
具体的に説明すると、バッテリ内のバッテリ残量が減少しバッテリアラーム電圧ＶＡに到達すると、装置はアラームを報知し、このアラームによりユーザに対して充電を促すものとなる。また、バッテリ電圧がサスペンド電圧ＶＳまで消費され降下した際には、装置の稼働は停止するものとなる。
【０００９】
すなわち、図８（ａ）の放電曲線ａは、未使用時（新品）のバッテリによる放電曲線を示しており、この放電曲線ａによる稼働可能時間を検証すると、バッテリ電圧（残量）は、ｔ１秒経過後にバッテリアラーム電圧ＶＡまで降下し、このｔ１秒からｔｘ秒経過後のｔ２秒にはサスペンド電圧ＶＳまで降下することがわかる。すなわち、このｔ２秒間が、未使用時のバッテリによる稼働可能時間となる。このように、通常では、バッテリ電圧がバッテリアラーム電圧ＶＡまで降下した後でも、所定時間ｔｘ（１０分程度）だけ装置が稼働できるように運用時間を確保している。
【００１０】
図８（ｂ）の放電曲線ｂは、長期間使用したバッテリによる放電曲線を示しており、この放電曲線ｂによる稼働可能時間を検証すると、このようにバッテリに劣化がある場合には、放電曲線の傾きが急になるためバッテリアラーム電圧ＶＡに到達する時間が早くなることがわかる。
【００１１】
図８（ｂ）の例では、ｔ１´秒経過後にはバッテリアラーム電圧ＶＡまで低下し、さらにｔ２´秒経過後にはサスペンド電圧ＶＳまで降下することがわかる。そして、この場合、稼動可能時間ｔ２´秒が、バッテリ劣化時のバッテリ稼働可能時間となり、装置の運用時間（稼動時間）が短くなる傾向となる（ｔ２´＜ｔ２）。
【００１２】
このように劣化したバッテリの場合、予め設定されたバッテリアラーム電圧ＶＡに到達する時間が早くなってしまうため、サスペンド電圧ＶＳに到達するまでに、まだかなりの時間（ｔｘ´秒間）があるにも拘らず頻繁にアラームを通知するものとなる。これによって、充電時期も早まるうえ、充電回数の増大を招くことから利便性の面で問題がある。
【００１３】
本発明は、上述した従来による問題点を解決するためになされたものであり、バッテリ管理サーバによる制御に基づいてバッテリアラーム電圧の設定を可能とすることにより、長期間の使用により劣化したバッテリを効率良く運用することができるうえ、バッテリによる稼働時間の延長が可能なバッテリアラーム電圧設定装置、バッテリアラーム電圧設定方法を提供することを目的とする。
【００１４】
【課題を解決するための手段】
上記目的を達成するため、請求項１に記載の発明は、バッテリにより稼動する携帯情報端末装置と通信接続され相互にデータ交換をおこなうバッテリ管理サーバにおけるバッテリアラーム電圧設定装置であって、前記携帯情報端末装置は、前記バッテリによるバッテリ電圧の電圧値を検出するバッテリ電圧検出手段と、前記バッテリ電圧の電圧降下を警告するバッテリアラーム電圧を検出するバッテリアラーム電圧検出手段と、前記バッテリ内のバッテリ電圧の電圧降下にともなって、前記携帯情報端末装置が非動作状態となるサスペンド電圧を検出するサスペンド電圧検出手段と、前記バッテリ電圧検出手段により検出されたバッテリ電圧をバッテリ管理サーバに対して送信する通信手段とを備え、前記バッテリ管理サーバは、前記バッテリ電圧検出手段により検出されたバッテリ電圧に基づいて、予め設定された初期のバッテリアラーム電圧を所定の電圧値に自動的に設定変更するバッテリアラーム電圧制御装置と、当該バッテリアラーム電圧制御装置により設定されたバッテリアラーム電圧を前記携帯情報端末装置に対して送信する通信手段と、を備えたことを特徴とする。
【００１５】
この本発明によれば、バッテリ管理サーバは、携帯情報端末装置に備えたバッテリ電圧検出手段により検出されたバッテリ電圧に基づいて、予め設定された初期のバッテリアラーム電圧を所望の電圧値に自動的に設定変更するバッテリアラーム電圧制御装置を備えているので、このバッテリアラーム電圧制御装置によりバッテリ電圧の検出に基づいて放電曲線の算出をおこない、この放電曲線の算出に基づいてバッテリアラーム電圧を自動的に設定し変更することができる。
【００１６】
また、請求項２に記載の発明は、請求項１に記載の発明において、前記バッテリアラーム電圧制御装置は、前記バッテリ電圧検出手段により検出されたバッテリ電圧に基づいて、前記バッテリアラーム電圧からサスペンド電圧までに到達するまでの放電推移を時系列的に算出するバッテリ電圧推移算出手段と、当該バッテリ電圧推移算出手段により算出された放電推移に基づいてバッテリアラーム電圧の設定をおこなうバッテリアラーム電圧設定手段とをさらに備えることを特徴とする。
【００１７】
この発明によれば、バッテリ管理サーバは、バッテリ電圧推移算出手段によりバッテリアラーム電圧からサスペンド電圧までに到達するまでの放電推移を算出し、バッテリアラーム電圧設定手段による前記バッテリ電圧推移算出手段により算出された放電推移に基づいてバッテリアラーム電圧の設定をおこなうので、バッテリ電圧（バッテリ残量）の検出に基づいて放電曲線を算出し、この放電曲線の算出に基づいてバッテリアラーム電圧を設定することができる。
【００１８】
また、請求項３に記載の発明は、請求項１または２に記載の発明において、前記バッテリアラーム電圧制御手段により設定されるバッテリアラーム電圧は、前記バッテリアラーム電圧から前記サスペンド電圧に到達するまで前記携帯情報端末装置に対して所定の稼働時間を保持できる電圧として設定されることを特徴とする。
【００１９】
この発明によれば、バッテリアラーム電圧制御手段により設定されるバッテリアラーム電圧は、前記バッテリアラーム電圧から前記サスペンド電圧に到達するまで前記携帯情報端末装置に対して所定の稼働時間を保持できる電圧として設定するので、バッテリアラーム電圧の設定値が過度に低下することによる装置の稼働停止を未然に防止することができる。
【００２０】
また、請求項４に記載の発明は、請求項１、２または３に記載の発明において、前記バッテリアラーム電圧設定手段によるバッテリアラーム電圧の設定は、バッテリ管理サーバによるマニュアル操作による手動設定で任意に設定できることを特徴とする。
【００２１】
この発明によれば、前記バッテリアラーム電圧設定手段によるバッテリアラーム電圧の設定は、バッテリ管理サーバによるマニュアル操作による手動設定で任意に設定できるので、バッテリアラーム電圧の設定を自動設定できない場合にも容易に手動設定によりバッテリアラーム電圧の設定をおこなうことができる。
【００２２】
請求項５に記載の発明は、バッテリにより稼動する携帯情報端末装置と通信接続され相互にデータ交換をおこなうバッテリ管理サーバにおけるバッテリアラーム電圧設定方法であって、前記携帯情報端末装置は、前記バッテリによるバッテリ電圧の電圧値を検出するバッテリ電圧検出工程と、前記バッテリ電圧の電圧降下を警告するバッテリアラーム電圧を検出するバッテリアラーム電圧検出工程と、前記バッテリ内のバッテリ電圧の電圧降下にともなって、前記携帯情報端末装置が非動作状態となるサスペンド電圧を検出するサスペンド電圧検出工程と、前記バッテリ電圧検出手段により検出されたバッテリ電圧をバッテリ管理サーバに対して送信する通信工程とを備え、前記バッテリ管理サーバは、前記バッテリ電圧検出手段により検出されたバッテリ電圧に基づいて、予め設定された初期のバッテリアラーム電圧を所定の電圧値に自動的に設定変更するバッテリアラーム電圧制御工程と、当該バッテリアラーム電圧制御装置により設定されたバッテリアラーム電圧を前記携帯情報端末装置に対して送信する通信工程とを備えたことを特徴とする。
【００２３】
この発明によれば、バッテリ電圧検出工程によりバッテリ電圧の電圧値を検出し、バッテリアラーム電圧検出工程によりバッテリ電圧の電圧降下を警告するバッテリアラーム電圧を検出し、サスペンド電圧検出工程により前記携帯情報端末装置が非動作状態となるサスペンド電圧を検出し、バッテリ電圧検出手段により検出されたバッテリ電圧をバッテリ管理サーバに対して送信し、バッテリ管理サーバでは、バッテリアラーム電圧制御工程によりバッテリ電圧検出手段により検出されたバッテリ電圧に基づいて、予め設定された初期のバッテリアラーム電圧を所望の電圧値に自動的に設定変更するので、バッテリ電圧の検出に基づいて放電曲線の算出をおこない、この放電曲線の算出に基づいてバッテリアラーム電圧を設定することができる。
【００２４】
【発明の実施の形態】
（実施の形態１）
以下に添付図面を参照して、この発明に係るバッテリアラーム電圧設定装置、バッテリアラーム電圧設定方法の好適な実施の形態を詳細に説明する。なお、本発明では、携帯情報端末装置の一例としてＰＤＡ（Ｐｅｒｓｏｎａｌ  Ｄｉｇｉｔａｌ  Ａｓｓｉｓｔａｎｔｓ）１１０を対象として説明する。このＰＤＡ１１０は、内部に備えたバッテリ（電池）による電源供給により稼働（運用）するものとする。また、後述するように、このＰＤＡ１００内部のバッテリ２８０に対する充電は、クレードル（充電器）４００を使用しておこなうものとする。
【００２５】
図１は、本実施形態１に係るバッテリアラーム電圧設定装置の全体構成を示す機能ブロック図である。同図に示すように、バッテリ管理サーバ１００には、複数（１０台程度）のＰＤＡ１００を通信接続（無線／有線）した状態で、これらＰＤＡ１００に対するバッテリ電圧を管理することができる。また、後述するように、このバッテリ管理サーバ１００は、バッテリアラーム電圧を設定する機能を備えている。
【００２６】
そして、本発明では、バッテリ管理サーバ１００により、ＰＤＡ１１０から所定のタイミングで送信されるバッテリ電圧を受信するとともに、バッテリアラーム電圧制御装置１２０により、バッテリ電圧に基づいて予め放電曲線を作成（算出）し、この放電曲線に基づいてバッテリアラーム電圧の設定値を自動的に変更できるようにしたものである。
【００２７】
図１に示すように、本実施形態１におけるＰＤＡ１１０（携帯情報端末装置）は、このＰＤＡ１１０全体のコントロール機能を備えた制御部１６０、バッテリ電圧検出部１７０、バッテリアラーム電圧検出部１８０、サスペンド電圧検出部１９０、バッテリアラーム電圧記憶部２００、ＲＯＭ２０１、バッテリアラーム電圧書き換え部２１０、バッテリアラーム電圧比較部２２０、表示回路部２３０、表示部２３１、外部Ｉ／Ｆ部２４０、入力部２５０、スピーカ２６１およびマイク２６２とを有するオーディオ部２６０、電源回路部２７０、バッテリ（電池）２８０、電源スイッチ２９０、通信Ｉ／Ｆ部３００とを備えている。
【００２８】
バッテリ電圧検出部１７０は、バッテリの放電にともない減少するバッテリ電圧の電圧値を定期的に検出する機能を備えている。バッテリアラーム電圧検出部１８０は、バッテリ電圧の放電にともない所定の電圧まで降下したときの電圧をアラーム電圧として検出する機能を備えている。バッテリ残量がアラーム電圧に到達した際には、アラームの通知がおこなわれる。
【００２９】
サスペンド電圧検出部１９０は、バッテリ内のバッテリ電圧の電圧降下にともなって、ＰＤＡ１１０が非動作状態となるサスペンド電圧を検出する機能を備えている。
【００３０】
バッテリアラーム電圧記憶部２００は、バッテリ管理サーバ１００のバッテリアラーム電圧設定部１４０により設定されるとともに、送信されたバッテリアラーム電圧を記憶する機能を備えている。バッテリアラーム電圧書き換え部２１０は、バッテリアラーム電圧記憶部２００内に記憶されたバッテリアラーム電圧をバッテリアラーム電圧設定部１４０から送信された最新のデータに書き換える機能を備えている。
【００３１】
バッテリアラーム電圧比較部２２０は、バッテリアラーム電圧設定部１４０から送信された最新のデータとバッテリアラーム電圧書き換え部２１０により書き換えられたデータとを比較し、判定する機能を備えている。
【００３２】
ＲＯＭ２０１には各種の処理を実行するための画面制御プログラムやアプリケーションプログラムなどが予め格納されている。
【００３３】
表示部２３０は、ＬＣＤ、タブレット、バックライト（光源）によって構成され、表示回路部２３０により表示輝度が制御される。この表示部２３０には、バッテリアラーム電圧の設定を通知するメッセージが表示される。
【００３４】
入力部２５０は、キーボードやマウスまたは外部媒体を利用することによりバッテリアラーム電圧を書き換える機能を備えている。具体的に説明すると、外部媒体としては、デジタルカメラなどで使用されているフラッシュメモリーカード、スマートメディア、メモリースティックなどがあり、これら外部媒体に記録したバッテリアラーム電圧の電圧値をファイルとしてコピーしたり、この電圧値を参照することにより設定することができる。
【００３５】
外部Ｉ／Ｆ部２４０は、携帯電話やＰＨＳなどの他の無線通信装置と無線接続するためのインタフェースであり、例えば、カメラなどにより取得した画像データなど各種情報を無線通信によって外部に送信する場合に使用される。
【００３６】
オーディオ部２６０は、音声を入力するマイク２６２および音声を出力するスピーカ２６１とを有しており、スピーカ２６１は、バッテリアラーム電圧の設定がおこなわれた際に、音声により設定を通知する通知手段として機能する。
【００３７】
電源回路部２７０は、電源スイッチ２９０のＯＮ時にＰＤＡ１１０に対する稼動電源を供給し作動させるとともに、バッテリ２８０内のバッテリ電圧を監視する機能を備えている。バッテリ２８０には、リチウム電池などが使用される。
【００３８】
一方、バッテリ管理サーバ１００は、バッテリ電圧推移算出部１３０およびバッテリアラーム電圧設定部１４０とを備えたバッテリアラーム電圧制御部１２０、通信Ｉ／Ｆ部１５０とを備えている。１４５は手動による入力用の入力部であり、この入力部にはキーボードやマウスなどが使用される。
【００３９】
バッテリ電圧推移算出部１３０は、バッテリ電圧検出部１７０から検出されたバッテリ電圧の取得に基づいて、バッテリアラーム電圧からサスペンド電圧までに到達するまでの放電推移を予め時系列的に算出する機能を備えている。
【００４０】
バッテリアラーム電圧制御部１２０は、ＰＤＡ１１０のバッテリアラーム電圧検出部１７０により定期的に検出されるバッテリ電圧を通信Ｉ／Ｆ部１５０により受信し、バッテリアラーム電圧設定部１４０によりバッテリアラーム電圧を設定する機能を備えている。このバッテリアラーム電圧設定部１４０により設定されたバッテリアラーム電圧は、通信Ｉ／Ｆ部１５０からＰＤＡ１１０側の通信Ｉ／Ｆ部３００を通じて送信される。
【００４１】
図２は、本発明のバッテリアラーム電圧設定装置、バッテリアラーム電圧設定方法の全体制御構成を示すフローチャートである。すなわち、本発明のバッテリアラーム電圧設定方法は、（１）バッテリ電圧検出工程（ステップＳ２００）、（２）バッテリ電圧送信工程（ステップＳ２１０）、（３）バッテリ電圧推移算出工程（ステップＳ２３０）、（４）バッテリアラーム電圧設定工程（ステップＳ２３０）、（５）バッテリアラーム電圧受信工程（ステップＳ２４０）、（６）バッテリアラーム電圧記憶工程（ステップＳ２５０）（７）バッテリアラーム電圧書き換え工程（ステップＳ２６０）、（８）バッテリアラーム電圧比較工程（ステップＳ２７０）の８つの処理工程により構成されている。先ず、これら（１）〜（８）の各処理工程について説明する。
【００４２】
（１）バッテリ電圧検出工程は、バッテリ２８０内に充電されているバッテリ電圧の電圧値を検出する処理工程である。このバッテリ電圧検出工程によりバッテリ２８０内のバッテリ電圧を、バッテリの放電にともなって変動（下降）する電圧値としてリアルタイムで検出することができる。バッテリ電圧は、バッテリアラーム電圧よりもさらに電圧が降下するとサスペンド電圧となり、バッテリ電圧の電圧値がサスペンド電圧まで降下（放電）した時に装置は稼動が停止するものとなる。
【００４３】
（２）バッテリ電圧送信工程は、バッテリ電圧検出工程により検出されたバッテリ電圧をＰＤＡ１１０の通信Ｉ／Ｆ部３００からバッテリ管理サーバ１００の通信Ｉ／Ｆ部１５０に送信する処理工程である。このバッテリ電圧送信工程によるバッテリ電圧の送信は、所定間隔毎で定期的におこなわれる。
【００４４】
（３）バッテリ電圧推移算出工程は、ＰＤＡ１１０の通信Ｉ／Ｆ部３００から送信されたバッテリ電圧を通信Ｉ／Ｆ部１５０により受信し、このバッテリ電圧に基づいて予想される放電曲線を作成する処理工程である。具体的には、バッテリ電圧検出工程により検出されたバッテリ電圧に基づいて、バッテリアラーム電圧からサスペンド電圧までに到達するまでの放電推移を時系列的に算出することができる。
【００４５】
（４）バッテリアラーム電圧設定工程は、バッテリ電圧推移算出工程により算出された放電曲線の推移に基づいて、バッテリアラーム電圧を設定する処理工程である。
【００４６】
（５）バッテリアラーム電圧受信工程は、バッテリ管理サーバ１００の通信Ｉ／Ｆ部１５０から送信されたバッテリアラーム電圧をＰＤＡ１１０の通信Ｉ／Ｆ部３００により受信する処理工程である。
【００４７】
（６）バッテリアラーム電圧記憶工程は、通信Ｉ／Ｆ部３００により受信したバッテリアラーム電圧を一時的にバッテリアラーム電圧記憶部２００に記憶させる処理工程である。
【００４８】
（７）バッテリアラーム電圧書き換え工程は、バッテリアラーム電圧記憶部２００に記憶したバッテリアラーム電圧の電圧値をバッテリアラーム電圧設定部１４０により設定された最新のバッテリアラーム電圧に書き換える処理工程である。具体的には、初期に設定したバッテリアラーム電圧の変更をおこなうため、バッテリアラーム電圧の補正をおこなう機能を備えている。
【００４９】
（８）バッテリアラーム電圧比較工程は、バッテリアラーム電圧書き換え部２１０により書き換えられたバッテリアラーム電圧とバッテリアラーム電圧設定部１４０により設定された最新のバッテリアラーム電圧とを比較する処理工程である。
【００５０】
以下、本発明におけるバッテリ管理サーバによるバッテリアラーム電圧設定方法の詳細について、図３、４を参照して説明する。図３は、バッテリアラーム電圧設定方法の処理手順を示すフローチャート、図４は、本実施の形態１を適用した際の放電曲線の時系列推移を示す説明図をそれぞれ示している。
【００５１】
すなわち、図３のフローチャートに示すように、先ず、ＰＤＡ１１０側（携帯情報端末装置）では、バッテリ２８０（バッテリ電圧Ｖ）の電圧値をバッテリ電圧検出部１７０により検出する（ステップＳ３００）。このバッテリ電圧検出部１７０によるバッテリ電圧の検出は、所定間隔毎で定期的におこない、この検出された電圧値は、ＰＤＡ１１０の通信Ｉ／Ｆ部３００からバッテリ管理サーバ１００の通信Ｉ／Ｆ部１５０を通じてバッテリアラーム電圧制御部１２０に送信する（ステップＳ３１０）。
【００５２】
一方、バッテリ管理サーバ１００のバッテリアラーム電圧制御部１２０では、ＰＤＡ１００から送信されたバッテリ電圧を受信し（ステップＳ３２０）、この受信したバッテリ電圧に基づいた放電曲線を予測し作成する（ステップＳ３３０）。このバッテリ電圧に基づいた放電曲線の作成（算出）は、バッテリ電圧推移算出部１３０によりおこなう。
【００５３】
以下、ステップＳ３３０で作成した放電曲線の推移に基づいて、バッテリアラーム電圧設定手段１８０によりバッテリアラーム電圧ＶＡ´を算出するとともに設定し、この設定したバッテリアラーム電圧を通信Ｉ／Ｆ部１５０からＰＤＡ１１０の通信Ｉ／Ｆ部３００を通じて送信する（ステップＳ３５０）。
【００５４】
具体的には、バッテリ電圧の取得とともに、その電圧値の履歴を放電曲線として作成し、時系列的に予測される放電曲線に基づいて自動的に初期に設定したバッテリアラーム電圧を変更する新規のバッテリアラーム電圧を設定するものとなる。
【００５５】
なお、このバッテリアラーム電圧設定部１４０で設定されるバッテリアラーム電圧は、予め設定されている初期のバッテリアラーム電圧よりも小さく、サスペンド電圧よりも大きい電圧値として設定される。これは、バッテリアラーム電圧をサスペンド電圧よりも小さい電圧値として設定すると、ユーザに対するアラームの通知をおこなうまえに装置の稼働が停止するのを防止するためである。
【００５６】
一方、ＰＤＡ１１０側では、ステップＳ３５０によりバッテリ管理サーバ１００から送信されたバッテリアラーム電圧の電圧値を受信し（ステップＳ３６０）、このバッテリアラーム電圧を設定値として設定するとともに（ステップＳ３７０）、この設定値をバッテリアラーム電圧記憶部２００に記憶する（ステップＳ３８０）。次いで、バッテリアラーム電圧書き換え部２１０により書き換えをおこなう（ステップＳ３９０）。
【００５７】
以下、ステップＳ３９１によりバッテリ管理サーバ１００から送信されたバッテリアラーム電圧の値とバッテリアラーム電圧書き換え部２１０により書き換られたバッテリアラーム電圧記憶部２００内のバッテリアラーム電圧の値とが一致するか否かの判定をおこなう（ステップＳ３９１）。
【００５８】
このステップＳ３９１による判定は、バッテリアラーム電圧比較部２２０によりおこなう。このバッテリアラーム電圧比較部２２０により、バッテリアラーム電圧の設定が正確に変更されたかを確認することができる。そして、ステップＳ３９１の判定によりバッテリアラーム電圧記憶部２００内のバッテリアラーム電圧が正しく書き換えられている場合には（ステップＳ３９１肯定）、この書き換えられたバッテリアラーム電圧に基づいてＰＤＡ１１０に対する運用（制御）をおこなう（ステップＳ３９３）。
【００５９】
ここで、バッテリアラーム電圧の設定が正確に変更されことが確認された場合に、表示部２３１に「設定完了」などのメッセージ表示やスピーカ２６１を使用した音声による通知をおこなってもよい。
【００６０】
一方、ステップＳ３９１の判定によりバッテリアラーム電圧記憶部２００内のバッテリアラーム電圧とバッテリ管理サーバ１００から送信されたバッテリアラーム電圧とが一致しない場合（ステップＳ３９１否定）、再度、バッテリアラーム管理サーバ１００からバッテリアラーム電圧設定値部１４０により設定されたバッテリアラーム電圧を送信するとともに、この電圧値をバッテリアラーム電圧記憶部２００に記憶させ、この記憶されたバッテリアラーム電圧に基づいて制御をおこなう（ステップＳ３９３）。
【００６１】
以下、図４を参照して本実施の形態１のバッテリアラーム電圧設定方法による作用効果の詳細を説明する。すなわち、図４において、前述したように放電曲線ｂは、バッテリが劣化したバッテリ電圧の推移を示す放電曲線を示している。また、バッテリアラーム電圧ＶＡは、初期に設定された電圧値を、バッテリアラーム電圧ＶＡ´は、本実施の形態１により設定された電圧値を示している。
【００６２】
そして、図４に示すようにバッテリアラーム電圧が初期の電圧値であるＶＡに設定されている場合には、バッテリアラーム電圧ＶＡに到達する時間はｔ１´秒となり、このｔ１´秒からｔｘ´秒経過後のｔ２´秒にサスペンド電圧ＶＳに到達するものとなる。
【００６３】
一方、本実施の形態１によりバッテリアラーム電圧をＶＡより電圧値の低いＶＡ´に設定された場合、バッテリ電圧Ｖがバッテリアラーム電圧ＶＡ´に到達する時間はｔ３´秒となるため、従来の稼動可能時間ｔ１´よりも稼動可能時間を長く保持することができる（ｔ１´＜ｔ３´）。また、サスペンド電圧Ｖｓに到達するまでの時間もΔｔ秒とすることができる（ｔｘ´＞Δｔ）。これにより、ＰＤＡ１１０の運用時間を従来よりも長く保持することができるうえ、バッテリ２８０に対する充電回数を少なくすることができる。
【００６４】
以上のように、本実施の形態１では、バッテリ管理サーバ１００は、ＰＤＡ１１０側のバッテリ電圧検出手段１７０により検出されたバッテリ電圧に基づいて、予め設定された初期のバッテリアラーム電圧を所定の電圧値に自動的に設定変更するバッテリアラーム電圧制御手段１４０を備えているため、バッテリ電圧に基づいてバッテリアラーム電圧の設定値を自動的に変更する制御をおこなうことができる。
【００６５】
（実施の形態２）
次に、本実施の形態２について説明する。上述した実施の形態１では、ＰＤＡ１１０側（携帯情報端末装置）から送信されるバッテリ電圧Ｖに基づいて、バッテリ管理サーバ１００により自動的にバッテリアラーム電圧を設定し変更するものとしているが、本実施の形態２では、バッテリ管理サーバ１００においてバッテリアラーム電圧の設定を手動によりおこなうことに特徴がある。
【００６６】
具体的には、前記本実施の形態１によりバッテリアラーム電圧の自動設定ができない場合などに、本実施の形態２によるマニュアル操作による手動設定を実施するものとなる。
【００６７】
本実施の形態２に係るバッテリアラーム電圧設定方法の処理手順を説明する。図５は、本実施の形態２に係るバッテリアラーム電圧設定方法の処理手順を説明するフローチャートである。
【００６８】
すなわち、図５のフローチャートに示すように、先ず、バッテリアラーム電圧の設定が自動であるかマニュアル操作による手動設定であるかの判定をおこなう（ステップＳ５００）。そして、この判定によりバッテリアラーム電圧の設定が手動である場合には、次のステップＳ５０５のバッテリアラーム電圧手動設定制御に移行する。（ステップＳ５０５）。
【００６９】
このバッテリアラーム電圧手動設定制御は、（１）バッテリ管理サーバ１００により手動でバッテリアラーム電圧を設定した際には、この設定されたバッテリアラーム電圧以外のデータをＰＤＡ１１０側に送信しない制御方法。（２）バッテリ管理サーバ１００により手動でバッテリアラーム電圧を設定した際には、この時点でＰＤＡ１１０側からのデータの送信は停止される制御方法。（３）ＰＤＡ１１０側でバッテリ管理サーバ１００により手動でバッテリアラーム電圧が設定されたことを判定し、この時点でＰＤＡ１１０側からバッテリ電圧の送信を停止する制御方法。（４）バッテリ電圧サーバ１００側から手動で設定されたことをＰＤＡ１１０に送信し、手動による設定が解除されるまで、バッテリアラーム電圧の更新を受け付けない制御方法のうちのいずれかを選定しておこなうことができる。
【００７０】
そして、このステップＳ５０５のバッテリアラーム電圧手動設定制御に移行した後、バッテリ電圧推移検出手段１３０によりバッテリアラーム電圧ＶＡ´の算出をおこない（ステップＳ５１０）、次いで、バッテリアラーム電圧設定手段１４０によりバッテリアラーム電圧の設定後、この設定されたバッテリアラーム電圧の入力をおこなう（ステップＳ５２０）。このバッテリアラーム電圧ＶＡ´の入力は、入力部１４５によるキーボードやマウスなどによる手動設定によるものである。
【００７１】
次いで、サスペンド電圧検出部１９０によりサスペンド電圧ＶＳの算出をおこない、ステップＳ５４０によりバッテリアラーム電圧ＶＡ´とサスペンド電圧ＶＳとの比較をおこなう。具体的には、算出されたサスペンド電圧ＶＳよりも大きい電圧値を手動により入力して設定するものとなる。
【００７２】
すなわち、ステップＳ５５０によりバッテリアラーム電圧ＶＡ´とサスペンド電圧ＶＳとを比較する判定をおこない、手動設定によるバッテリアラーム電圧ＶＡがサスペンド電圧ＶＳよりも大きい電圧値である（ＶＡ´＞ＶＳ）場合には（ステップＳ５５０肯定）、このＶＡ´の電圧値をバッテリアラーム電圧として設定する。次いで、、バッテリアラーム電圧ＶＡ´の電圧がバッテリアラーム電圧記憶部に正しく書き込まれているか否かの判定をおこない（ステップＳ５７０）、正しくバッテリアラーム電圧ＶＡ´の電圧が書き込まれている場合には（ステップＳ５７０肯定）、以下、ステップＳ５８０により手動設定されたバッテリアラーム電圧に基づいてバッテリ電圧の運用をおこなう（ステップＳ５８０）。
【００７３】
一方、バッテリアラーム電圧ＶＡがサスペンド電圧ＶＳよりも小さい電圧値である場合には（ステップＳ５５０否定）、再度、ステップＳ５２０によるバッテリアラーム電圧の入力をおこなう。具体的には、前回に設定したバッテリアラーム電圧よりも電圧値が大きくなるように設定値を変更するものとなる。
【００７４】
ここで、本例では、バッテリア管理サーバ１００側でバッテリアラーム電圧を手動設定するものとしたが、このバッテリアラーム電圧の手動設定は、ＰＤＡ１００側でおこなうことも勿論可能である。このＰＤＡ１１０側でバッテリアラーム電圧の手動設定をおこなう場合の入力は、入力部２５０によるキーボード入力などを利用する。
【００７５】
以上のように、本実施の形態２では、バッテリアラーム電圧設定手段１４０によるバッテリアラーム電圧の設定は、バッテリ管理サーバ１００によるマニュアル操作による手動設定で任意に設定できるので、バッテリアラーム電圧の設定を自動設定できない場合にも容易に手動設定によりバッテリアラーム電圧の設定をおこなうことができる。
【００７６】
（実施の形態３）
図６は本実施の形態３に係るバッテリアラーム電圧設定装置の機能ブロック図を示している。同図に示すように、本実施の形態３の特徴は、ＰＤＡ１１０に対する充電器として使用するクレードル４００に、バッテリ電圧を検出するとともに、取得したバッテリ電圧の時系列的な推移をバッテリ管理サーバ１００に送信する機能を備えたことにある。
【００７７】
このため、クレードル４００は、バッテリ電圧推移検出部４１０、充電制御部４２０、充電部４３０とを備えている。バッテリ電圧推移検出部４１０は、ＰＤＡ１１０をクレードル４００へセットした時に、バッテリ電圧を検出するとともに、バッテリ残量を取得する機能を備えている。本実施の形態３の場合、ＰＤＡ１１０側にバッテリ電圧検出部を設けない構成とすることができる。充電制御部４２０は、ＰＤＡ１１０のバッテリ２８０内のバッテリ電圧の残量に応じて充電部４３０に対する充電量および充電時間を制御する機能を備えている。
【００７８】
また、通信Ｉ／Ｆ部４４０は、バッテリ管理サーバ１００の通信Ｉ／Ｆ部１５０に対してバッテリ電圧推移検出部４１０により取得したバッテリ電圧を送信することができるため、本実施の形態３の場合、ＰＤＡ１１０側に通信Ｉ／Ｆ部は設けない構成とすることができる。
【００７９】
本実施の形態３に係るバッテリアラーム電圧設定方法の処理手順を説明する。図７は、本実施の形態３に係るバッテリアラーム電圧設定方法の処理手順を説明するフローチャートである。
【００８０】
すなわち、図７のフローチャートに示すように、先ず、クレードル４００では、ＰＤＡ１１０に対する充電が完全（フル充電）におこなわれたかを判定し（ステップＳ３１１）、充電が完全におこなわれている場合には（ステップＳ３１１肯定）、ＰＤＡ１１０に対して電源を供給（ＯＮ）し（ステップＳ３１２）、次いで、バッテリ電圧推移検出部４１０によりバッテリ電圧の推移（履歴）を検出し、バッテリ電圧を取得する（ステップＳ３１３）。次いで、ステップＳ３１３により取得したバッテリ電圧を、バッテリ管理サーバ１００に対して送信する（ステップＳ３１４）。
【００８１】
一方、バッテリ管理サーバ１００側では、クレードル４００から送信されたバッテリ電圧を受信し（ステップＳ３２０）、以下、前述した図３のフローと同様、ステップＳ３３０〜ステップＳ３５０の処理により、バッテリ電圧に基づいた放電曲線を予測し作成し、この作成した放電曲線に基づいて、バッテリアラーム電圧設定手段１８０によりバッテリアラーム電圧ＶＡ´を算出するとともに設定し、この設定したバッテリアラーム電圧を通信Ｉ／Ｆ部１５０からＰＤＡ１００の通信Ｉ／Ｆ部３００を通じて送信する（ステップＳ３５０）。
【００８２】
一方、ＰＤＡ１００側では、ステップＳ３５０によりバッテリ管理サーバ１００から送信されたバッテリアラーム電圧の電圧値を受信し（ステップＳ３６０）、以下、前述した図３の処理手順と同様に、ステップＳ３７０〜ステップＳ３９３の処理により、バッテリ管理サーバ１００から送信されたバッテリアラーム電圧の設定をバッテリアラーム電圧記憶部２００に記憶し、バッテリアラーム電圧書き換え部２１０により書き換えをおこない、この書き換えられたバッテリアラーム電圧に基づいて制御をおこなう（ステップＳ３９３）。
【００８３】
以上のように、本実施の形態３では、ＰＤＡ１１０に対する充電器としてのクレードル４００にバッテリ残量の推移を検出する機能を備え、このクレードルによりバッテリ電圧を取得するとともに、バッテリ管理サーバにより放電推移の予測に基づくバッテリアラーム電圧を設定することができるため、ＰＤＡ１１０側の回路構成を簡易なものとすることができ、利便性の向上およびコストダウンを実現することができる。
【００８４】
また、上述した実施の形態１〜３に示したバッテリアラーム電圧設定装置、バッテリアラーム電圧設定方法が有する構成を実現するためのプログラムをコンピュータに読み取り可能な記録媒体に記録して、この記録媒体に記録されたプログラムをコンピュータに読み込ませて実行させることができる。これにより、前述した実施の形態１〜３に示したバッテリアラーム電圧設定装置、バッテリアラーム電圧設定方法と同様の効果を、一般的なコンピュータシステムを用いて実現することができる。
【００８５】
ここで、記憶媒体とは、ＣＤ−ＲＯＭ、フロッピィディスク、ＤＶＤディスク、光磁気ディスク、ＩＣカードなどの可搬型記憶媒体やハードディスクなどの記憶装置のほか、ＬＡＮを介して接続されたモデル構築プログラムを保持するサーバのデータベース、さらに公衆回線網上の伝送媒体をも含む。
【００８６】
（付記１）バッテリにより稼動する携帯情報端末装置と通信接続され相互にデータ交換をおこなうバッテリ管理サーバにおけるバッテリアラーム電圧設定装置であって、
前記携帯情報端末装置は、前記バッテリによるバッテリ電圧の電圧値を検出するバッテリ電圧検出手段と、
前記バッテリ電圧の電圧降下を警告するバッテリアラーム電圧を検出するバッテリアラーム電圧検出手段と、
前記バッテリ内のバッテリ電圧の電圧降下にともなって、前記携帯情報端末装置が非動作状態となるサスペンド電圧を検出するサスペンド電圧検出手段と、
前記バッテリ電圧検出手段により検出されたバッテリ電圧をバッテリ管理サーバに対して送信する通信手段とを備え、
前記バッテリ管理サーバは、前記バッテリ電圧検出手段により検出されたバッテリ電圧に基づいて、予め設定された初期のバッテリアラーム電圧を所望の電圧値に自動的に設定変更するバッテリアラーム電圧制御装置と、当該バッテリアラーム電圧制御装置により設定されたバッテリアラーム電圧を前記携帯情報端末装置に対して送信する通信手段と
を備えたことを特徴とするバッテリアラーム電圧設定装置。
【００８７】
（付記２）前記バッテリアラーム電圧制御装置は、前記バッテリ電圧検出手段により検出されたバッテリ電圧に基づいて、前記バッテリアラーム電圧からサスペンド電圧までに到達するまでの放電推移を時系列的に算出するバッテリ電圧推移算出手段と、当該バッテリ電圧推移算出手段により算出された放電推移に基づいてバッテリアラーム電圧の設定をおこなうバッテリアラーム電圧設定手段とをさらに備えることを特徴とする付記１に記載のバッテリアラーム電圧設定装置。
【００８８】
（付記３）前記バッテリアラーム電圧制御手段により設定されるバッテリアラーム電圧は、前記バッテリアラーム電圧から前記サスペンド電圧に到達するまで前記携帯情報端末装置に対して所定の稼働時間を保持できる電圧として設定されることを特徴とする付記１または２に記載のバッテリアラーム電圧設定装置。
【００８９】
（付記４）前記バッテリアラーム電圧設定手段によるバッテリアラーム電圧の設定は、バッテリ管理サーバによるマニュアル操作による手動設定で任意に設定できることを特徴とする付記１、２または３に記載のバッテリアラーム電圧設定装置。
【００９０】
（付記５）前記携帯情報端末装置は、前記バッテリアラーム電圧設定手段により設定されたバッテリアラーム電圧を取得するとともに、その電圧値を記憶するバッテリアラーム電圧記憶手段と、当該バッテリアラーム電圧記憶手段に記憶されたバッテリアラーム電圧を書き換え可能なバッテリアラーム電圧書き換え手段をさらに備えることを特徴とする付記１、２または３に記載のバッテリアラーム電圧設定装置。
【００９１】
（付記６）前記バッテリアラーム電圧記憶手段により記憶されたバッテリアラーム電圧は、前記携帯情報端末装置に備えた入力手段または外部媒体により書き換え可能であることを特徴とする付記１、２または３に記載のバッテリアラーム電圧設定装置。
【００９２】
（付記７）前記携帯情報端末装置は、前記バッテリアラーム電圧設定手段により設定されたバッテリアラーム電圧の設定値と前記バッテリアラーム電圧書き換え手段により書き換えられたバッテリアラーム電圧とを比較するバッテリアラーム電圧比較手段をさらに備えることを特徴とする付記１、２または３に記載のバッテリアラーム電圧設定装置。
【００９３】
（付記８）前記携帯情報端末装置は、前記バッテリアラーム電圧比較手段により比較された、前記バッテリアラーム電圧設定手段により設定されたバッテリアラーム電圧の設定値と前記バッテリアラーム電圧書き換え手段により書き換えられたバッテリアラーム電圧とが一致する場合に、通知手段により通知がおこなわれることを特徴とする付記７に記載のバッテリアラーム電圧設定装置。
【００９４】
（付記９）前記通知手段は、メッセージ表示による通知であることを特徴とする付記８に記載のバッテリ管理サーバにおけるバッテリアラーム電圧設定装置。
【００９５】
（付記１０）前記通知手段は、スピーカなどの音声による通知であることを特徴とする付記８に記載のバッテリアラーム電圧設定装置。
【００９６】
（付記１１）前記バッテリアラーム電圧書き換え手段は、バッテリ管理サーバ側から手動で設定されたことを携帯端末側に送信し、設定が解除されるまでバッテリアラーム電圧の更新を受け付けない機能をさらに備えることを特徴とする付記５、６または７に記載のバッテリアラーム電圧設定装置。
【００９７】
（付記１２）前記バッテリアラーム電圧比較手段により比較される前記バッテリアラーム電圧設定手段により設定されたバッテリアラーム電圧と前記バッテリアラーム電圧書き換え手段により書き換えられたバッテリアラーム電圧とが一致しない場合には、前記バッテリアラーム電圧設定手段により前記バッテリアラーム電圧記憶手段に記憶されたバッテリアラーム電圧の書き換えがおこなわれることを特徴とする付記７または８に記載のバッテリアラーム電圧設定装置。
【００９８】
（付記１３）前記バッテリアラーム電圧設定手段により設定されたバッテリアラーム電圧の設定値は、予め設定されたバッテリアラーム電圧よりも小さく、且つ、前記サスペンド電圧より大きくなる範囲で設定される電圧値であることを特徴とする付記１２に記載のバッテリアラーム電圧設定装置。
【００９９】
（付記１４）前記バッテリアラーム電圧設定手段は、バッテリアラーム電圧の下限値を設定する機能をさらに備え、バッテリアラーム電圧設定手段により設定されたバッテリアラーム電圧の電圧値が、前記下限値よりも小さい場合は、再度設定値の変更をおこなうことを特徴とする付記１３に記載のバッテリアラーム電圧設定装置。
【０１００】
（付記１５）バッテリにより稼動する携帯情報端末装置と通信接続され相互にデータ交換をおこなうバッテリ管理サーバにおけるバッテリアラーム電圧設定方法であって、
前記携帯情報端末装置は、前記バッテリによるバッテリ電圧の電圧値を検出するバッテリ電圧検出工程と、
前記バッテリ電圧の電圧降下を警告するバッテリアラーム電圧を検出するバッテリアラーム電圧検出工程と、
前記バッテリ内のバッテリ電圧の電圧降下にともなって、前記携帯情報端末装置が非動作状態となるサスペンド電圧を検出するサスペンド電圧検出工程と、
前記バッテリ電圧検出手段により検出されたバッテリ電圧をバッテリ管理サーバに対して送信する通信工程とを備え、
前記バッテリ管理サーバは、前記バッテリ電圧検出手段により検出されたバッテリ電圧に基づいて、予め設定された初期のバッテリアラーム電圧を所望の電圧値に自動的に設定変更するバッテリアラーム電圧制御工程と、当該バッテリアラーム電圧制御装置により設定されたバッテリアラーム電圧を前記携帯情報端末装置に対して送信する通信工程と
を備えたことを特徴とするバッテリアラーム電圧設定方法。
【０１０１】
【発明の効果】
以上説明したように、本発明によれば、使用期間の長いバッテリを使用する場合でも、バッテリ管理サーバによるバッテリ電圧の検出により、バッテリの劣化（バッテリ残量）に基づいた放電曲線の算出を予めおこない、これによりバッテリアラーム電圧を自動的に設定することができるため、劣化したバッテリによる効率的な運用および充電回数を低減できることから、ユーザに対する利便性の向上を図れるという効果がある。
【０１０２】
また、本発明によれば、バッテリアラーム電圧設定手段によるバッテリアラーム電圧の設定は、バッテリ管理サーバによるマニュアル操作による手動設定で任意に設定できるので、バッテリアラーム電圧の設定を自動設定できない場合にも容易に手動設定によりバッテリアラーム電圧の設定をおこなうことができるという効果を奏する。
【０１０３】
また、本発明によれば、携帯情報端末装置に対する充電器としてのクレードルにバッテリ残量の推移を検出する機能を備え、このクレードルによりバッテリ電圧を取得するとともに、バッテリ管理サーバにより放電推移の予測に基づくバッテリアラーム電圧を設定することができるため、携帯情報端末装置側の回路構成を簡易なものとすることができ、利便性およびコストダウンを実現することができるという効果を奏する。
【図面の簡単な説明】
【図１】本発明に係るバッテリ管理サーバにおけるバッテリアラーム電圧設定装置の全体構成を示す機能ブロック図である。
【図２】本発明に係るバッテリアラーム電圧設定方法の全体処理手順を示すフローチャートである。
【図３】実施の形態１に係るバッテリアラーム電圧設定方法の処理手順を示すフローチャートである。
【図４】本実施の形態１を適用した際の放電曲線の時系列変化を示す説明図である。
【図５】実施の形態２に係るバッテリアラーム電圧設定方法の処理手順を示すフローチャートである。
【図６】実施の形態３に係るバッテリアラーム電圧設定装置の構成を示す機能ブロック図である。
【図７】実施の形態３に係るバッテリアラーム電圧設定方法の処理手順を示すフローチャートである。
【図８】（ａ）は、未使用時のバッテリによる放電曲線、（ｂ）は、劣化したバッテリによる放電曲線を示す説明図である。
【符号の説明】
１００  バッテリ管理サーバ
１１０  ＰＤＡ（携帯情報端末装置）
１２０  バッテリアラーム電圧制御装置
１３０  バッテリ電圧推移算出部
１４０  バッテリアラーム電圧設定部
１４５  入力部
１５０、３００、４４０  通信Ｉ／Ｆ部
１６０  制御部
１７０  バッテリ電圧検出部
１８０  バッテリアラーム電圧検出部
１９０  サスペンド電圧検出部
２００  バッテリアラーム電圧記憶部
２１０  バッテリアラーム電圧書き換え部
２２０  バッテリアラーム電圧比較部
２２１  ＲＯＭ
２３０  表示部
２３１  表示回路部
２４０  外部Ｉ／Ｆ部
２５０  入力部
２６０  オーディオ部
２６１  スピーカ
２６２  マイク
２７０  電源回路部
２８０  バッテリ（電池）
２９０  電源スイッチ
４００  クレードル
４１０  バッテリ電圧推移検出部
４２０  充電制御部
４３０  充電部
【図１】
2004213400.tif 000003
【図２】
2004213400.tif 000004
【図３】
2004213400.tif 000005
【図４】
2004213400.tif 000006
【図５】
2004213400.tif 000007
【図６】
2004213400.tif 000008
【図７】
2004213400.tif 000009
【図８】
2004213400.tif 000010